(57)【要約】      （修正有）【課題】小型化を実現することが可能な計器装置を提供する。【解決手段】情報表示体１０と、この情報表示体１０に照明光を供給する複数個の光源と、光源から情報表示体１０へと至る照明経路中に配置される導光部材と、この導光部材を保持するケース部材５０とを備え、導光部材は、情報表示体１０に対応して設けられる導光本体部４１と、光源からの照明光を導入可能に設けられる第１、第２の光導入部とを有し、第１の光導入部と第２の光導入部との間に形成される空所の少なくとも一部に、ケース部材５０に一体的に設けられる機能部品としての連結部９０を配置したものである。【選択図】図５
2019095416.tif 000002
【特許請求の範囲】
【請求項１】
情報表示体と、
前記情報表示体に照明光を供給する複数個の光源と、
前記光源から前記情報表示体へと至る照明経路中に配置される導光部材と、
前記導光部材を保持するケース部材とを備え、
前記導光部材は、前記情報表示体に対応して設けられる導光本体部と、前記光源からの照明光を導入可能に設けられる第１、第２の光導入部とを有し、
前記第１の光導入部と前記第２の光導入部との間に形成される空所の少なくとも一部に、前記ケース部材に一体的に設けられる機能部品を配置したことを特徴とする計器装置。
【請求項２】
前記光源が配設された回路基板と、
前記情報表示体を視認する視認者側から見たときに前記情報表示体の表示エリアと重ならないように設けられる不可視部を有する筐体と、
前記不可視部に設けられた開口部に対応して配置される操作ユニットとを備え、
前記操作ユニットは、
前記視認者による押圧操作が可能な操作部と、
前記回路基板に配設されるスイッチ素子と、
前記押圧操作によって前記スイッチ素子を作動させる機能を有する中継部材とを備え、
前記ケース部材と前記中継部材とは連結部によって連結されており、
前記機能部品を前記連結部もしくは前記中継部材としたことを特徴とする請求項１記載の計器装置。
【請求項３】
前記光源が配設された回路基板と、
前記情報表示体の視認者側に配置される表示板とを備え、
前記回路基板には、前記表示板に設けられた報知部に光を供給するための発光素子が配設され、
前記発光素子を包囲するように前記表示板と前記回路基板との間に配置される壁部は、前記表示板を保持する機能を有し、
前記機能部品を前記壁部としたことを特徴とする請求項１記載の計器装置。
【発明の詳細な説明】
【技術分野】
【０００１】
本発明は、例えば自動２輪車や自動車等の車両に搭載される計器装置に関するものである。
【背景技術】
【０００２】
従来より、この種の計器装置にあっては、例えば下記特許文献１に記載されているものが知られている。この特許文献１に記載の計器装置は、車両に搭載された車両用計器であり、車速情報等の車両情報を表示する液晶表示パネル（情報表示体）と、この液晶表示パネルに照明光を供給する複数個の光源と、各光源が実装された硬質の回路基板と、各光源から液晶表示パネルへと至る照明経路中に配置される導光部材と、この導光部材を保持するように回路基板上に載置される樹脂製のケース部材と、液晶表示パネルと回路基板と導光部材とケース部材とを収納する樹脂製の筐体とを備えている。
【０００３】
この場合、導光部材は、液晶表示パネルの背後に位置する略平板状の導光本体部と、この導光本体部に照明光を導入するように導光本体部の一側面部から垂下形成された光導入部とを有し、光導入部は、液晶表示パネル（ケース部材の保持部）の周囲にはみ出るように設けられた状態で複数個の光源の発光面と各々対向している。
【０００４】
また、通常、筐体は、互いに対をなす前面側筐体と背面側筐体とに分割形成され、前面側筐体は、計器装置を視認する視認者側から前記車両情報を視認可能とする透明な可視部と、この可視部の周囲に位置する黒色の不可視部とが一体化された構成となっている。
【０００５】
一方、下記特許文献２には、前記不可視部に設けられた開口部に対応して配置される操作ユニットを備えた計器装置が開示されている。当該計器装置に用いられる操作ユニットは、視認者による押圧操作が可能な操作部と、回路基板上に実装されるタクトスイッチと、前記押圧操作によってタクトスイッチを作動させる樹脂製の中継部材とを備え、中継部材とケース部材とは、当該保持部の外側に張り出すように設けられた樹脂弾性片によって連結されている。
【０００６】
そして、中継部材が前記押圧操作による力を受けると、中継部材は、撓み変形可能な樹脂弾性片の撓み変形を利用してタクトスイッチ側に移動し、この中継部材の移動によって中継部材がタクトスイッチを作動させる構成となっている。例えば、このような操作ユニットは、液晶表示パネルに表示される走行距離情報を切り替えるために用いられる。
【先行技術文献】
【特許文献】
【０００７】
【特許文献１】特開２０１２−７３０５７号公報
【特許文献２】特開２０１５−４１５０１号公報
【発明の概要】
【発明が解決しようとする課題】
【０００８】
ところで、上記特許文献２に記載の操作ユニットを特許文献１に記載の計器装置に搭載した場合、操作ユニットの一構成部品である中継部材は、導光本体部を保持するケース部材の外側に張り出すように設けられた樹脂弾性片のさらに外側に位置し、当該位置の真上に操作部が位置するとともに、当該位置の直下にタクトスイッチが位置する構成となる。
【０００９】
しかしながら、このような構成によれば、操作部と中継部材とタクトスイッチとでなる操作ユニットを計器装置に搭載した場合、計器装置の外形寸法が大型化するという問題点があった。すなわち、当該操作ユニットを前面側筐体の前記開口部に対応して配置させた場合、前記不可視部（つまり筐体）の形成領域が必要以上に広範囲となって、計器装置の小型化を阻害する要因となっていた。
そこで本発明は、前述の課題に対して対処するため、小型化を実現することが可能な計器装置の提供を目的とするものである。
【課題を解決するための手段】
【００１０】
本発明は、情報表示体と、前記情報表示体に照明光を供給する複数個の光源と、前記光源から前記情報表示体へと至る照明経路中に配置される導光部材と、前記導光部材を保持するケース部材とを備え、前記導光部材は、前記情報表示体に対応して設けられる導光本体部と、前記光源からの照明光を導入可能に設けられる第１、第２の光導入部とを有し、前記第１の光導入部と前記第２の光導入部との間に形成される空所の少なくとも一部に、前記ケース部材に一体的に設けられる機能部品を配置したことを特徴とする。
【００１１】
また本発明は、前記光源が配設された回路基板と、前記情報表示体を視認する視認者側から見たときに前記情報表示体の表示エリアと重ならないように設けられる不可視部を有する筐体と、前記不可視部に設けられた開口部に対応して配置される操作ユニットとを備え、前記操作ユニットは、前記視認者による押圧操作が可能な操作部と、前記回路基板に配設されるスイッチ素子と、前記押圧操作によって前記スイッチ素子を作動させる機能を有する中継部材とを備え、前記ケース部材と前記中継部材とは連結部によって連結されており、前記機能部品を前記連結部もしくは前記中継部材としたことを特徴とする。
【００１２】
また本発明は、前記光源が配設された回路基板と、前記情報表示体の視認者側に配置される表示板とを備え、前記回路基板には、前記表示板に設けられた報知部に光を供給するための発光素子が配設され、前記発光素子を包囲するように前記表示板と前記回路基板との間に配置される壁部は、前記表示板を保持する機能を有し、前記機能部品を前記壁部としたことを特徴とする。
【発明の効果】
【００１３】
本発明によれば、所期の目的を達成でき、小型化を実現することが可能な計器装を提供できる。
【図面の簡単な説明】
【００１４】
【図１】本発明の第１実施形態による計器装置の正面図。
【図２】図１のＡ−Ａ断面図。
【図３】図１のＢ−Ｂ断面図。
【図４】同第１実施形態による導光部材と中継部材と連結部との位置関係を示す図。
【図５】図１のＣ−Ｃ断面図。
【図６】本発明の第２実施形態による計器装置の正面図。
【図７】図６のＥ−Ｅ断面図。
【図８】図６のＦ−Ｆ断面図。
【図９】同第２実施形態による導光部材と壁部との位置関係を示す図。
【図１０】図６のＧ−Ｇ断面図。
【図１１】同第１実施形態の変形例による導光部材と中継部材と連結部との位置関係を示す図。
【発明を実施するための形態】
【００１５】
（第１実施形態）以下、図１〜図５に基づいて、本発明の計器装置を車両に搭載される車両用計器に適用した場合を例に挙げて説明する。なお、以下の説明では、車両用計器を正視（視認）する視認者側を前方側とし、当該視認者側とは反対側である反視認者側を背後側とする。
【００１６】
図１〜図３において、本実施形態による計器装置としての車両用計器Ｄ１は、各種の車両情報を表示する液晶表示パネルからなる情報表示体１０と、この情報表示体１０の背後側に位置する回路基板２０と、情報表示体１０に照明光を供給するように回路基板２０の前方側に実装（配設）された光源３０と、この光源３０から情報表示体１０へと至る照明経路中に配置される導光部材４０と、この導光部材４０を保持するように回路基板２０の前方側に載置されたケース部材５０と、主に情報表示体１０の前方側を覆うように配置される前面側筐体６０と、主に回路基板２０の背後側を覆うように配置される背面側筐体７０と、前面側筐体６０に設けられる後述する開口部に対応して配置される操作ユニット８０とを備えている。
【００１７】
情報表示体１０は、例えば矩形状の液晶表示パネルを適用することができる。この情報表示体１０の表示エリア（図示せず）には、例えば車速情報や走行距離情報等からなる表示部１１が視覚情報として表示される。また、情報表示体１０は、図示しないフレキシブル配線板を用いて回路基板２０と電気的に接続されている。
【００１８】
回路基板２０は、例えばガラスエポキシ系基材に配線パターンが施された硬質配線基板からなり、情報表示体１０の表示制御や光源３０の点灯制御を行う制御部２１や光源３０、操作ユニット８０に備えられる後述するスイッチ素子、抵抗、コンデンサ等からなる回路部品等が前記配線パターンに導通接続されている。つまり、このことは、回路基板２０には、制御部２１や光源３０、前記スイッチ素子、前記回路部品等が実装（配設）されていることを意味する。
【００１９】
光源３０は、適宜色の光（例えば白色光）を発するチップ型発光ダイオードを適用することができ、導光部材４０の後述する第１、第２の光導入部と対向するように回路基板２０上に実装されている。なお、光源３０の個数は、前記第１、第２の光導入部の下端面の形状（面積）に対応させて必要な個数だけ設ければよい。
【００２０】
導光部材４０は、透光性合成樹脂材料にて形成され、情報表示体１０に対応して設けられる（つまり情報表示体１０の背後に沿うように配置される）略矩形状の導光本体部４１と、各光源３０と対向するように導光本体部４１に一体形成され、各光源３０からの照明光を受光する（導入可能に設けられる）一対の第１、第２の光導入部４２、４３とを備えている。
【００２１】
これら第１、第２の光導入部４２、４３は、導光本体部４１の一側壁部から光源３０の発光面に向けて垂下するように曲げられた受光部として構成されており、その真上には、主に第１、第２の光導入部４２、４３内に導入された照明光を導光本体部４１側に反射導光させる傾斜面形状（もしくは曲面形状）からなる第１、第２の反射部４４、４５が各々設けられている。
【００２２】
なお、この場合、図４に示すように第１の光導入部４２と第２の光導入部４３との間には空間部である空所Ｓが形成され、第１の光導入部４２と第２の光導入部４３とは、空所Ｓを隔てて並設された状態となる。
【００２３】
４６は、第１の光導入部４２と第１の反射部４４、及び第２の光導入部４３と第２の反射部４５を通じて導光本体部４１内に反射導光された照明光を情報表示体１０側に出射するための平坦面からなる光出射面であり、この光出射面４６は、前方側となる導光本体部３１の前面に設けられる。
【００２４】
ケース部材５０は、例えば白色の合成樹脂材料によって形成されるものであり、導光本体部４１を保持する保持部５１と、この保持部５１の周縁を支える脚部５２とを有している。この場合、保持部５１は、導光本体部４１を保持する保持部材としての機能に加えて、導光本体部４１に導入された照明光を効率よく光出射面４６側に導くための光反射面としての機能を有している。
【００２５】
前面側筐体６０は、透光性の合成樹脂材料によって形成された透視部６１と、遮光性（例えば黒色）の合成樹脂材料によって形成された不透過部としての不可視部６２とを備えている。この場合、例えば透視部６１が不可視部６２にインサート成型されることで、射出成型体である前面側筐体６０を得ることができる。
【００２６】
透視部６１は、前方側から情報表示体１０の前記表示エリアを透視可能に設けられる略平板状の透視パネルからなり、情報表示体１０を視認する視認者は透視部６１を通じて前記表示エリアに表示される表示部１１を透視（視認）することができるようになっている。
【００２７】
不可視部６２は、回路基板２０や導光部材４０、ケース部材５０等の内機部品が前方側から見えないように隠蔽する隠蔽部からなり、前方側から見たときに情報表示体１０の前記表示エリアと重ならないように設けられる。また、不可視部６２は、透視部６１を包囲するように透視部６１の周囲に位置する前面壁部６２ａと、この前面壁部６２ａの周縁部分から背後側に向けて垂下形成された側壁部６２ｂとを備えている。
【００２８】
前面壁部６２ａには、操作ユニット８０に備えられる後述する操作部が貫通する開口部６２ｃと、光源３０の点灯時に情報表示体１０にて覆われていない光出射面４６箇所から透視部６１へと漏れる漏れ光を遮るための遮光部６２ｄとが形成されている。
【００２９】
遮光部６２ｄは、前記一側壁部に沿うように前面壁部６２ａから垂下形成された遮光リブであり、前記一側壁部に対応する情報表示体１０側部を覆うように前記光出射面４６箇所に向けて延出している。これにより前記漏れ光の発生が極力抑制され、商品性を高めることができるという利点がある。なお、側壁部６２ｂは、情報表示体１０の側部を覆うように設けられる。
【００３０】
背面側筐体７０は、例えば合成樹脂材料によって形成された射出成型体であり、略箱形形状に形成され、回路基板２０の背後側に位置する底壁部７１と、側壁部６２ｂと対応するように設けられる周壁部７２とを有している。
【００３１】
そして、この場合、この背面側筐体７０と前面側筐体６０とで車両用計器Ｄ１の外装ケースを構成している。なお、ここでの詳細図示は省略するが、背面側筐体７０の底壁部７１には、必要に応じて前記スイッチ素子に対応する位置に前記スイッチ素子を支える支持部が設けられていてもよい。
【００３２】
操作ユニット８０は、不可視部６２に設けられた開口部６２ｃに対応して配置され、図５に示すように視認者による押圧操作が可能な操作部８１と、回路基板２０の前方側に実装（配設）されるタクトスイッチであるスイッチ素子８２と、押圧操作によってスイッチ素子８２を作動させる機能を有する中継部材８３とを備えている。
【００３３】
操作部８１は、例えば弾性を有する合成ゴム材料によって形成されており、略柱状に形成された本体部８１ａと、不可視部６２の開口部６２ｃに嵌合する嵌合部８１ｂと、本体部８１ａと嵌合部８１ｂとを繋ぐ裾部８１ｃとを備えている。
【００３４】
ここで、本体部８１ａの前方側となる本体部８１ａの頂部８１ｄは、視認者が操作部８１を押圧操作する際に視認者の指が触れる部位となっている。また、裾部８１ｃは、断面略ハの字形状に形成され、本体部８１ａと嵌合部８１ｂとを繋ぐ薄肉部からなる。
【００３５】
スイッチ素子８２は、例えばタクトスイッチからなり、その作動部８２ａが中継部材８３の下端面と対向するように前記配線パターンに導通接続されている。
【００３６】
またスイッチ素子８２は、視認者による操作部８１の押圧操作により中継部材８３を通じてオン・オフ動作し、制御部２１に切替信号を出力する作動部８２ａを有し、この作動部８２ａを通じて発せられた切替信号が制御部２１に入力されると、制御部２１は表示切替のための出力信号を情報表示体１０に出力し、これにより情報表示体１０に表示されている表示情報が切り替わる。例えば、操作部８１の押圧操作に伴い、操作部８１の押圧操作前に（表示部１１の一部として）情報表示体１０に表示されていた積算走行距離情報を区間走行距離情報に切り替えることができる。
【００３７】
中継部材８３は、本体部８１ａの軸方向に沿うように配置された略棒状の樹脂製操作シャフトからなり、操作部８１とスイッチ素子８２との間に介在し、視認者による操作部８１の押圧操作力をスイッチ素子８２側へと伝えるものである。
【００３８】
つまり、この場合、操作部８１の押圧操作に伴って中継部材８３の背後に配設されたスイッチ素子８２が作動することで、所定の機能（例えば上述の積算走行距離情報から区間走行距離情報への表示切替）を実行する。
【００３９】
なお、この場合、脚部５２（ケース部材５０）と中継部材８３とは、撓み変形可能な樹脂弾性片である連結部９０によって連結されている。そして、このように連結部９０を介して脚部５２（ケース部材５０）と一体的に形成された中継部材８３が前記押圧操作力を受けると、中継部材８３は連結部９０の撓み変形を利用してスイッチ素子８２側に移動し、この中継部材８３の移動によって中継部材８３の前記下端面がスイッチ素子８２を作動させる構成となっている。
【００４０】
また、ここでの詳細図示は省略するが、中継部材８３を包囲するようにケース部材５０に一体形成された筒状部によって中継部材８３が保護されている（覆われている）ものとする。
【００４１】
以上の各部により車両用計器Ｄ１が構成されている。ここで、第１の光導入部４２と第２の光導入部４３と連結部９０との三者の位置関係に着目すると、本例では第１の光導入部４２と第２の光導入部４３との間に形成される空所Ｓに脚部５２（ケース部材５０）に一体的に設けられる機能部品である連結部９０を配置した（潜り込ませる）構成としている（図４、図５参照）。
【００４２】
このように脚部５２（ケース部材５０）と中継部材８３とを連結する機能を有する機能部品を連結部９０とし、当該連結部９０を空所Ｓに潜り込ませる構成としたことにより、中継部材８３は、ケース部材５０に隣接した状態でケース部材５０の周囲に位置し、当該位置の真上に操作部８１が位置するとともに、当該位置の直下にスイッチ素子８２が位置する構成となる。
【００４３】
従って、本実施形態のように連結部９０が空所Ｓに潜り込んだ状態の操作ユニット８０を不可視部６２の開口部６２ｃに対応させて配置した際、連結部９０が空所Ｓに潜り込んだ分だけ不可視部６２の形成領域が従来よりも小さくなるため、小型化を実現することが可能な車両用計器Ｄ１を提供することができる。
【００４４】
以上のように本実施形態では、導光部材４０は、情報表示体１０に対応して設けられる導光本体部４１と、各光源３０からの照明光を導入可能に設けられる第１、第２の光導入部４２、４３とを有し、第１の光導入部４２と第２の光導入部４３との間に形成される空所Ｓに、脚部５２（ケース部材５０）に一体的に設けられる機能部品としての連結部９０を配置したことにより、連結部９０が空所Ｓに潜り込んだ分だけ不可視部６２の形成領域が従来よりも小さくなるため、小型化を実現することが可能な車両用計器Ｄ１を提供することができる。また、操作部８１と当該操作部８１の操作対象となる情報表示体１０とを近接させた状態で配置でき、操作部８１と情報表示体１０との関連性を高めることができるという利点もある。
【００４５】
また本実施形態では、脚部５２（ケース部材５０）に一体的に設けられる機能部品としての連結部９０を空所Ｓに配置した例について説明したが、例えば脚部５２（ケース部材５０）に一体的に設けられる機能部品としての連結部９０を空所Ｓの一部に配置する構成としてもよい。要は、本発明にあっては、空所Ｓの少なくとも一部に、ケース部材５０に一体的に設けられる機能部品としての連結部９０を配置する構成であればよく、これにより空所Ｓに潜り込むように位置する連結部９０の領域の分だけ、不可視部６２の形成領域を小さくすることが可能となり、小型化を実現することができるという利点がある。
【００４６】
（第２実施形態）次に、本発明の第２実施形態を図６〜図１０に基づいて説明するが、前述の第１実施形態と同一もしくは相当個所には同一の符号を用いてその詳細な説明は省略する。この第２実施形態では、前記第１実施形態にて採用した操作ユニット８０に代えて発光表示体１００を採用した構成としている。
【００４７】
この第２実施形態における車両用計器Ｄ２は、前記第１実施形態にて採用した情報表示体１０、回路基板２０、光源３０、導光部材４０、ケース部材５０、前面側筐体６０、背面側筐体７０、操作ユニット８０に加えて、図６〜図８に示すように情報表示体１０の前方側（透視部６１と情報表示体１０との間）に配置される表示板Ｐをさらに備える。
【００４８】
発光表示体１００は、図９に示すように表示板Ｐに設けられた報知部１１０と、回路基板２０に実装（配設）された発光素子１２０と、この発光素子１２０を包囲するように表示板Ｐと回路基板２０との間に配置される壁部１３０とを備える。
【００４９】
報知部１１０は、薄板状の透光性基材Ｐ１の表面（もしくは背面）に形成された表示意匠部１１１と、発光素子１２０からの光を透過可能とすべく、表示意匠部１１１の周囲に形成された光透過部１１２とで構成される（図６参照）。表示意匠部１１１は、例えば前照灯の光軸向きがハイビーム位置にあることを示す報知マークを適用することができ、黒色系の遮光性インクにより印刷形成される。光透過部１１２は、例えば略円形状にて形成され、透光性基材Ｐ１の露出領域となっている（図９参照）。
【００５０】
なお、図７〜図９において、Ｐ２は、黒色系の遮光性インクにより、透光性基材Ｐ１の表面（もしくは背面）に形成された黒色印刷層からなる地色部であり、この地色部Ｐ２は、報知部１１０を除いた透光性基材Ｐ１の表面箇所に形成される。また、Ｐ３は、前記表示エリアに対応する表示板Ｐ箇所に開口形成される表示窓部である。
【００５１】
発光素子１２０は、適宜色の光（例えば白色光）を発するチップ型発光ダイオードであり、報知部１１０の直下（真下）となる回路基板２０上に表面実装され、報知部１１０に向けて光を供給するものである。換言すれば、この場合、回路基板２０には、表示板Ｐに設けられた報知部１１０に光を供給するための発光素子１２０が実装（配設）される構成となっている。
【００５２】
壁部１３０は、発光素子１２０を包囲するように表示板Ｐと回路基板２０との間に配置される略枠形状の立壁部であり、連結部分（図示せず）を介してケース部材５０と一体的に設けられる。また、ここでの壁部１３０は、表示板Ｐを保持する保持部としての機能、発光素子１２０から発せられる光を報知部１１０側に反射させるための光反射壁としての機能、発光素子１２０を収納する収納部としての機能等を有している。
【００５３】
そして、壁部１３０の内部に形成される内部空間が報知部１１０照明用の照明室Ｔとなる。つまり、発光素子１２０から発せられる光は照明室Ｔを経て報知部１１０へと供給され、これにより視認者は透視部６１を通じて発光表示される表示意匠部１１１を透視（視認）することができる。なお、必要に応じて、当該照明室Ｔにおいて、報知部１１０（表示意匠部１１１）と発光素子１２０との間に、光拡散板やダイヤカットレンズ等の光学部材（図示せず）を配置してもよい。
【００５４】
ここで、第１の光導入部４２と第２の光導入部４３と壁部１３０との三者の位置関係に着目すると、本第２実施形態では第１の光導入部４２と第２の光導入部４３との間に形成される空所Ｓ（空所Ｓの一部）にケース部材５０に一体的に設けられる機能部品である壁部１３０を配置した（潜り込ませる）構成としている（図１０参照）。
【００５５】
このように表示板Ｐを保持する機能を有する機能部品を壁部１３０とし、当該壁部１３０を空所Ｓに潜り込ませる構成としたことにより、壁部１３０は、保持部５１に隣接した状態で保持部５１の周囲に位置し、壁部１３０の内部に形成される照明室Ｔの真上に報知部１１０（表示意匠部１１１）が位置するとともに、照明室Ｔの背後側に発光素子１２０が位置する構成となる。つまり、報知部１１０（表示意匠部１１１）と情報表示体１０とを近接させた状態で配置することができる。
【００５６】
また、本第２実施形態のように壁部１３０が空所Ｓに潜り込んだ状態の発光表示体１００を車両用計器Ｄ２に搭載した際、壁部１３０が空所Ｓに潜り込んだ分だけ車両用計器Ｄ２の外装ケースを構成する前面側筐体６０（背面側筐体７０）の外形形状が小さくなるため、車両用計器Ｄ２の小型化が実現可能となる。
【００５７】
以上のように本第２実施形態によれば、第１の光導入部４２と第２の光導入部４３との間に形成される空所Ｓに、ケース部材５０に一体的に設けられる機能部品としての壁部１３０を配置したことにより、壁部１３０が空所Ｓに潜り込んだ分だけ前記外装ケースの外形形状が小さくなるため、前記第１実施形態と同様の作用効果を得ることができる。
【００５８】
なお、本発明は、上述の実施形態及び図面によって限定されるものではない。本発明の要旨を変更しない範囲で、適宜、実施形態及び図面に変更（構成要素の削除も含む）を加えることが可能である。
【００５９】
例えば、上述した第１実施形態では、空所Ｓの少なくとも一部に、ケース部材５０に一体的に設けられる機能部品としての連結部９０を配置する構成であったが、本実施形態の変形例として図１１に示すように第１の光導入部４２、４３の形状によっては（例えばここでの詳細図示は省略するが情報表示体１０の外側にはみ出す第１の光導入部４２、４３のはみ出し領域がある程度大きい場合にあっては）、空所Ｓの少なくとも一部に、（連結部９０を介して）ケース部材５０に一体的に設けられる機能部品としての中継部材８３を配置する（潜り込ませる）ことも可能である。
【００６０】
つまり、ここでの中継部材８３とは、前記押圧操作によってスイッチ素子８２を作動させる機能を有する機能部品となり、その真上に操作部８１が位置するとともにその真下にスイッチ素子８２が位置する。このように構成することにより、中継部材８３の少なくとも一部（もしくは中継部材８３の少なくとも一部及び連結部９０）が空所Ｓに潜り込んだ分だけ不可視部６２の形成領域が従来よりも小さくなるため、前記第１実施形態と同様の作用効果を得ることができる。
【００６１】
また、上述した第２実施形態では、空所Ｓの一部に、ケース部材５０に一体的に設けられる機能部品としての壁部１３０を配置する例について説明したが、本発明はこれに限定されるものではなく、例えばここでの詳細図示は省略するが情報表示体１０の外側にはみ出す第１の光導入部４２、４３のはみ出し領域がある程度大きい場合にあっては、空所Ｓの全体（つまり空所Ｓの少なくとも一部）に壁部１３０を配置する（潜り込ませる）ことも可能である。
【００６２】
さらには、上述した第１、第２実施形態では、導光本体部４１の一側面部に空所Ｓを設け、当該空所Ｓに機能部品（連結部９０や壁部１３０）を配置するものであったが、空所Ｓは略矩形状の導光本体部４１の相対する一対の側面部に２箇所設けてもよい。例えば前記第２実施形態にて採用した表示意匠部１１１として、方向指示器の作動状態を示す、所謂、ターンインジケータマークからなる報知マークを採用するような場合、図６において、車両用計器Ｄ２の左右両側（導光本体部４１の左右両側）に各々発光表示体１００（空所Ｓ）を配置すればよい。
【符号の説明】
【００６３】
１０    情報表示体
２０    回路基板
３０    光源
４０    導光部材
４１    導光本体部
４２    第１の光導入部
４３    第２の光導入部
５０    ケース部材
５１    保持部
６０    前面側筐体
６１    透視部
６２    不可視部
６２ｃ  開口部
７０    背面側筐体
８０    操作ユニット
８１    操作部
８２    スイッチ素子
８３    中継部材（機能部品）
９０    連結部（機能部品）
１００    発光表示体
１１０    報知部
１１１    表示意匠部
１２０    発光素子
１３０    壁部（機能部品）
Ｐ    表示板
Ｓ    空所（空間部）
Ｔ    照明室
【図１】
2019095416.tif 000003
【図２】
2019095416.tif 000004
【図３】
2019095416.tif 000005
【図４】
2019095416.tif 000006
【図５】
2019095416.tif 000007
【図６】
2019095416.tif 000008
【図７】
2019095416.tif 000009
【図８】
2019095416.tif 000010
【図９】
2019095416.tif 000011
【図１０】
2019095416.tif 000012
【図１１】
2019095416.tif 000013